(57)【要約】      （修正有）【課題】非接触入力が可能な表示装置の検出部の感度を、ユーザの次操作動作に応じて調整する。【解決手段】主装置の動作項目および操作量を選択するための主装置の制御パラメータ選択装置であって、表示領域を挟んで、配置された電極と、電極と被検出体との相互距離に応じた静電容量を検出する静電容量検出部３１０と、動作項目および操作パラメータの表示内容、または、被検出体の操作動作履歴の少なくとも一方に基づいて被検出体の操作動作を予測し、電極について、予測された操作動作において被検出体が接近するか否かに応じて、被検出体の接近を検知するための閾値とする静電容量を調整する検出制御部３３０と、検出された静電容量が検出制御部３３０で調整された閾値を超えたときに、被検出体の接近を検知する近接検出部３４０と、を備える。【選択図】図２
2015106276.tif 000002
【特許請求の範囲】
【請求項１】
主装置の動作項目および操作量を選択するための主装置の制御パラメータ選択装置であって、
表示領域を挟んで、配置された電極と、該電極と被検出体との相互距離に応じた静電容量を検出する静電容量検出手段と、
前記動作項目および操作パラメータの表示内容、または、前記被検出体の操作動作履歴の少なくとも一方に基づいて当該被検出体の操作動作を予測し、前記電極について、該予測された操作動作において当該被検出体が接近するか否かに応じて、当該被検出体の接近を検知するための閾値とする静電容量を調整する検出制御手段と、
該検出された静電容量が前記検出制御手段で調整された閾値を超えたときに、被検出体の接近を検知する検知手段と、
を備えることを特徴とする主装置の制御パラメータ選択装置。
【請求項２】
前記検出制御手段が、前記予測された操作動作において前記被検出体が接近する電極について、当該被検出体の接近を検知するための閾値とする静電容量を、予め定めた閾値よりも低くすることを特徴とする請求項１に記載の主装置の制御パラメータ選択装置。
【請求項３】
前記検出制御手段が、前記予測された操作動作において前記被検出体が接近しない電極について、当該被検出体の接近を検知するための閾値とする静電容量を、予め定めた閾値よりも高くすることを特徴とする請求項１に記載の主装置の制御パラメータ選択装置。
【請求項４】
前記主装置がエアコン、オーディオ機器、ナビゲーション機器等の車載機器であることを特徴とする請求項１から３のいずれかに記載の主装置の制御パラメータ選択装置。
【請求項５】
主装置の動作項目および操作量を選択するための主装置の制御パラメータ選択装置における制御パラメータ選択方法であって、
表示領域を挟んで、配置された電極と、該電極と被検出体との相互距離に応じた静電容量を検出する静電容量検出手段と、検出制御手段と、検知手段と、を備え、
前記検出制御手段が、前記動作項目および操作パラメータの表示内容、または、前記被検出体の操作動作履歴の少なくとも一方に基づいて当該被検出体の操作動作を予測する第１のステップと、
前記検出制御手段が、前記電極について、前記第１のステップで予測された操作動作において当該被検出体が接近するか否かに応じて、当該被検出体の接近を検知するための閾値とする静電容量を調整する第２のステップと、
前記検知手段が、該検出された静電容量が前記第２のステップで調整された閾値を超えたときに、被検出体の接近を検知する第３のステップと、
を含むことを特徴とする主装置の制御パラメータ選択方法。
【請求項６】
主装置の動作項目および操作量を選択するための主装置の制御パラメータ選択装置における制御パラメータ選択方法をコンピュータに実行させるためのプログラムであって、
表示領域を挟んで、配置された電極と、該電極と被検出体との相互距離に応じた静電容量を検出する静電容量検出手段と、検出制御手段と、検知手段と、を備え、
前記検出制御手段が、前記動作項目および操作パラメータの表示内容、または、前記被検出体の操作動作履歴の少なくとも一方に基づいて当該被検出体の操作動作を予測する第１のステップと、
前記検出制御手段が、前記電極について、前記第１のステップで予測された操作動作において当該被検出体が接近するか否かに応じて、当該被検出体の接近を検知するための閾値とする静電容量を調整する第２のステップと、
前記検知手段が、該検出された静電容量が前記第２のステップで調整された閾値を超えたときに、被検出体の接近を検知する第３のステップと、
をコンピュータに実行させるためのプログラム。
【発明の詳細な説明】
【技術分野】
【０００１】
本発明は、非接触の操作動作によって、主装置の制御パラメータの選択を可能とする主装置の制御パラメータ選択装置、主装置の制御パラメータ選択方法およびプログラムに関する。
【背景技術】
【０００２】
従来、カーナビゲーション、カーオーディオ等の各種車載機器に使用される表示装置には、これら車載機器に対する操作入力を受け付けるためのタッチパネルが備えられている。表示装置のタッチパネルは、表示画面を表示するディスプレイの前面に設けられており、タッチパネルに設定された操作領域の中で、ディスプレイの表示画面の一部として表示された操作スイッチに対応する操作領域がタッチすることで、運転者や同乗者は操作入力を行うことができる。
【０００３】
しかしながら、運転者が操作入力を行う場合、車両前方から目を離し、タッチパネルに表示された操作領域を視認してタッチしなければならない為に、危険であるという問題点があった。そこで、表示装置に、赤外線方式や静電容量変化検出方式等による非接触入力の技術（例えば、特許文献１、２参照）を適用することで、ジェスチャーによる入力を可能とし、運転者が操作スイッチに対応する操作領域を視認せずとも、操作入力を行うことが可能となることが考えられる。
【先行技術文献】
【特許文献】
【０００４】
【特許文献１】特開平１１−２５９２６０号公報
【特許文献２】特開２０１２−３５５４号公報
【発明の概要】
【発明が解決しようとする課題】
【０００５】
しかしながら、赤外線方式や静電容量変化検出方式等による非接触入力が可能な表示装置が複数個の検出部を備える場合、手や指等のジェスチャー入力する部分の本来の動作とのズレや、ジェスチャー入力する部分ではない指輪や時計等のアクセサリーによって、本来反応すべきでない検出部が反応してしまうことがある。それにより、操作者の意思とは異なる入力がなされてしまうという問題点があった。
【０００６】
例えば、静電容量方式よる非接触入力が可能な表示装置が検出部である電極を十字方向４つ設置している場合、ジェスチャー入力は上下、左右、回転等が可能になる。そこで、表示装置上にて手を左右に動かした場合、手は必ずしも水平に動かせたとは限らず、斜め下や斜め上、または少しカーブを描いて左右に動かしていることもある。その場合、下側や上側の電極も反応してしまい、ジェスチャー入力を左右ではなく、回転と誤判定してしまうこと等があった。
【０００７】
そこで、本発明は、上記課題に鑑みて、非接触入力が可能な表示装置の検出部の感度を、操作者の次操作動作に応じて、調整する主装置の制御パラメータ選択装置、主装置の制御パラメータ選択方法、およびプログラムを提供することを目的とする。
【課題を解決するための手段】
【０００８】
本発明は、上記の課題を解決するために、以下の事項を提案している。
【０００９】
（１）  本発明は、主装置の動作項目および操作量を選択するための主装置の制御パラメータ選択装置であって、表示領域を挟んで、配置された電極と、該電極と被検出体との相互距離に応じた静電容量を検出する静電容量検出手段と、前記動作項目および操作パラメータの表示内容、または、前記被検出体の操作動作履歴の少なくとも一方に基づいて該被検出体の操作動作を予測し、前記電極について、該予測された操作動作において該被検出体が接近するか否かに応じて、該被検出体の接近を検知するための閾値とする静電容量を調整する検出制御手段と、該検出された静電容量が前記検出制御手段で調整された閾値を超えたときに、被検出体の接近を検知する検知手段と、を備えることを特徴とする主装置の制御パラメータ選択装置を提案している。
【００１０】
本発明によれば、操作者の操作動作を正しく検出するようにすることができ、ユーザの意思とは異なる入力がされてしまうことを防ぐことができる。
【００１１】
（２）本発明は、（１）の主装置の制御パラメータ選択装置について、前記検出制御手段が、前記予測された操作動作において前記被検出体が接近する電極について、該被検出体の接近を検知するための閾値とする静電容量を、予め定めた閾値よりも低くすることを特徴とする主装置の制御パラメータ選択装置を提案している。
【００１２】
（３）本発明は、（１）の主装置の制御パラメータ選択装置について、前記検出制御手段が、前記予測された操作動作において前記被検出体が接近しない電極について、該被検出体の接近を検知するための閾値とする静電容量を、予め定めた閾値よりも高くすることを特徴とする主装置の制御パラメータ選択装置を提案している。
【００１３】
（４）本発明は、（１）から（３）の主装置の制御パラメータ選択装置について、前記主装置がエアコン、オーディオ機器、ナビゲーション機器等の車載機器であることを特徴とする主装置の制御パラメータ選択装置を提案している。
【００１４】
（５）本発明は、主装置の動作項目および操作量を選択するための主装置の制御パラメータ選択装置における制御パラメータ選択方法であって、表示領域を挟んで、配置された電極と、該電極と被検出体との相互距離に応じた静電容量を検出する静電容量検出手段と、検出制御手段と、検知手段と、を備え、前記検出制御手段が、前記動作項目および操作パラメータの表示内容、または、前記検出体の操作動作履歴の少なくとも一方に基づいて該被検出体の操作動作を予測する第１のステップと、前記検出制御手段が、前記電極について、前記第１のステップで予測された操作動作において該被検出体が接近するか否かに応じて、該被検出体の接近を検知するための閾値とする静電容量を調整する第２のステップと、前記検知手段が、該検出された静電容量が前記第２のステップで調整された閾値を超えたときに、被検出体の接近を検知する第３のステップと、を含むことを特徴とする主装置の制御パラメータ選択方法を提案している。
【００１５】
（６）本発明は、主装置の動作項目および操作量を選択するための主装置の制御パラメータ選択装置における制御パラメータ選択方法をコンピュータに実行させるためのプログラムであって、表示領域を挟んで、配置された電極と、該電極と被検出体との相互距離に応じた静電容量を検出する静電容量検出手段と、検出制御手段と、検知手段と、を備え、前記検出制御手段が、前記動作項目および操作パラメータの表示内容、または、前記検出体の操作動作履歴の少なくとも一方に基づいて該被検出体の操作動作を予測する第１のステップと、前記検出制御手段が、前記電極について、前記第１のステップで予測された操作動作において該被検出体が接近するか否かに応じて、該被検出体の接近を検知するための閾値とする静電容量を調整する第２のステップと、前記検知手段が、該検出された静電容量が前記第２のステップで調整された閾値を超えたときに、被検出体の接近を検知する第３のステップと、をコンピュータに実行させるためのプログラムを提案している。
【発明の効果】
【００１６】
本発明によれば、非接触入力が可能な表示装置の検出部の感度を、予測した操作者の次操作動作に応じて調整して、操作者の操作動作を正しく検出するようにすることができ、操作者の意思とは異なる入力がされてしまうことを防ぐことができる。
【図面の簡単な説明】
【００１７】
【図１】本発明の実施形態に係る主装置の制御パラメータ選択装置の概略的な構成を示す図である。
【図２】本発明の実施形態に係る主装置の制御パラメータ選択装置の電気的な構成を示す図である。
【図３】本発明の実施形態に係る主装置の制御パラメータ選択装置における表示パネルの表示例を示した図である。
【図４】本発明の実施形態に係る主装置の制御パラメータ選択装置における被検出体の近接状況の検出原理を示す図である。
【図５】本発明の実施形態に係る主装置の制御パラメータ選択装置における被検出体の近接状況の検出原理を示す図である。
【図６】本発明の実施形態に係る主装置の制御パラメータ選択装置における被検出体の近接状況の検出原理を示す図である。
【図７】本発明の実施形態に係る主装置の制御パラメータ選択装置における被検出体の近接状況の検出原理を示す図である。
【図８】本発明の実施形態に係る主装置の制御パラメータ選択装置における上下操作動作による入力を示した図である。
【図９】本発明の実施形態に係る主装置の制御パラメータ選択装置における円状操作動作による入力を示した図である。
【図１０】本発明の実施形態に係る主装置の制御パラメータ選択装置の処理を示した図である。
【発明を実施するための形態】
【００１８】
以下、本発明の実施形態について、図面を用いて、詳細に説明する。なお、本実施形態における構成要素は適宜、既存の構成要素等との置き換えが可能であり、また、他の既存の構成要素との組み合せを含む様々なバリエーションが可能である。したがって、本実施形態の記載をもって、特許請求の範囲に記載された発明の内容を限定するものではない。
【００１９】
＜実施形態＞
図１から図１０を用いて、本発明の実施形態について説明する。
【００２０】
＜主装置の制御パラメータ選択装置の概略的な構成＞
図１に示すように、本実施形態に係る主装置の制御パラメータ選択装置は、主に、電極１１０Ｘ、１２０Ｘ、１１０Ｙ、１２０Ｙと、表示パネル（表示領域）２００とから構成されている。
【００２１】
電極１１０Ｘ、１２０Ｘ、１１０Ｙ、１２０Ｙは、表示パネル（表示領域）２００の外周部に配置され、電極１１０Ｘ、１２０Ｘは、表示パネル（表示領域）２００の外周のＸ軸方向上部、下部に設けられ、電極１１０Ｙ、１２０Ｙは、表示パネル（表示領域）２００の外周のＹ軸方向上部、下部に設けられている。
【００２２】
電極１１０Ｘ、１２０Ｘ、１１０Ｙ、１２０Ｙは、静電容量の変化により、例えば、操作者の手や指といった被検出体の近接状態を検出する方式に用いられるものであり、特に、自己キャパシタンス方式と呼ばれる方式に用いられる電極である。なお、検出方法については、後述する。
【００２３】
表示パネル２００は、例えば、ＬＣＤ（Ｌｉｑｕｉｄ  Ｃｒｙｓｔａｌ  Ｄｉｓｐｌａｙ）等のフラットパネルが望ましく、本実施形態においては、エアコン、オーディオ機器、ナビゲーション機器等の動作項目および、これの操作パラメータ（エアコンであれば、温度、風向、風量等、オーディオ機器であれば、ＣＤ、ＤＶＤ、ＦＭ、ＡＭ、音量、イコラーザ等、ナビゲーション機器であれば、住所、電話番号、履歴情報等）をマトリクス状に表示する。
【００２４】
＜主装置の制御パラメータ選択装置の電気的な構成＞
図２に示すように、静電容量検出部３１０と、閾値格納部３２０と、検出制御部３３０と、近接検出部３４０と、制御部３５０と、表示制御部３６０とから構成されている。
【００２５】
静電容量検出部３１０は、各電極１１０Ｘ、１２０Ｘ、１１０Ｙ、１２０Ｙの静電容量の変化量（増加量）を検出する。
【００２６】
閾値格納部３２０は、近接検出部３４０が被検出体の近接状態を検出するために用いる閾値を格納する。閾値格納部３２０は、近接検出部３４０が被検出体の近接状態を検出する通常の感度の閾値（以下、通常感度閾値という）、近接検出部３４０が被検出体の近接状態を検出する感度を高くする閾値（以下、高感度閾値という）、および近接検出部３４０が被検出体の近接状態を検出する感度を低くする閾値（以下、低感度閾値という）を格納する。ここで、高感度閾値は通常感度閾値より小さく、一方、低感度閾値は通常感度閾値よりも大きい。なお、通常感度閾値、高感度閾値、および低感度閾値を区別しない場合には、閾値という。
【００２７】
なお、閾値格納部３２０は、通常感度閾値、高感度閾値、および低感度閾値の３つに限らず、複数の閾値を格納してもよい。閾値格納部３２０が、複数の閾値を格納することにより、近接検出部３４０が被検出体の近接状態を検出する感度を細かく変えることができる。
【００２８】
検出制御部３３０は、操作者の操作動作において被検出体が接近する、または、接近しない電極の少なくとも一方を予測する。そして、検出制御部３３０は、接近することが予測された電極について、近接検出部３４０が被検出体の近接状態を検出する感度を上げる制御を行う。また、検出制御部３３０は、接近しないことが予測された電極について、近接検出部３４０が被検出体の近接状態を検出する感度を下げる制御を行う。
【００２９】
その結果、操作者の操作動作を正しく検出するようにすることができ、操作者の意思とは異なる入力がされてしまうことを防ぐことができる。また、検出制御部３３０は、全電極について近接検出部３４０が被検出体の近接状態を検出する感度を０にすることもでき、それにより、表示装置のタッチパネルを併用して利用することも可能となる。
【００３０】
具体的には、検出制御部３３０は、操作者の操作動作によって、静電容量検出部３１０が静電容量の変化量（増加量）を検出したことに応じて、操作者の操作動作において被検出体が接近する、または、接近しない電極の少なくとも一方を予測する。そして、検出制御部３３０は、操作者の操作動作において被検出体が接近すると予測した電極については、閾値格納部３２０に格納された高感度閾値を、操作者の操作動作において被検出体が接近しないと予測した電極については、閾値格納部３２０に格納された通常感度閾値または低感度閾値を、近接検出部３４０に送信する。
【００３１】
また、検出制御部３３０は、操作者の操作動作において被検出体が接近しないと予測した電極については、閾値格納部３２０に格納された低感度閾値を、操作者の操作動作において被検出体が接近すると予測した電極については、閾値格納部３２０に格納された通常感度閾値または高感度閾値を、近接検出部３４０に送信してもよい。なお、検出制御部３３０は、操作者の前操作動作後、操作者の次操作動作によって静電容量検出部３１０が静電容量の変化量（増加量）を検出する前に、上述した処理を行ってもよい。
【００３２】
例えば、検出制御部３３０が操作者の操作動作において被検出体が接近すると予測した電極が電極１１０Ｘ、１２０Ｘである場合には、電極１１０Ｘ、１２０Ｘについては、閾値格納部３２０に格納された高感度閾値を近接検出部３４０に送信する。一方、被検出体が接近しないと予測した電極１１０Ｙ、１２０Ｙについては、閾値格納部３２０に格納された通常感度閾値または低感度閾値を、近接検出部３４０に送信する。
【００３３】
検出制御部３３０は、操作者の操作動作において被検出体が接近する、または、接近しない電極を、被検出体の操作動作履歴や表示パネル（表示領域）２００に表示されている内容に応じて予測する。
【００３４】
例えば、被検出体が表示パネル（表示領域）２００上を上下に動く前操作動作によって、電極１１０Ｘ、１２０Ｘが被検出体の近接状態を検出した場合には、次操作動作は被検出体が表示パネル（表示領域）２００上を左右に動く動作であって、電極１１０Ｙ、１２０Ｙに被検出体が接近すると予測するといったように、前操作動作がどの電極を検出したかに応じて、次操作動作を検出する電極を予測する方法がある。この場合には、前操作動作を検出した電極と次操作動作を検出する電極との対応付けたルールを予め設定し、設定したルールに基づいて、前操作動作がどの電極を検出したかに応じて、次操作動作を検出する電極を予測する。
【００３５】
前操作動作を検出した電極と次操作動作を検出する電極との対応付けたルールは、任意に決定してもよいし、被検出体の操作動作履歴から決定してもよい。被検出体の操作動作履歴から決定する場合には、操作動作履歴において、前操作動作を検出した電極の組み合わせ毎に、前操作動作を検出した電極と次操作動作を検出する電極との組み合わせで多いものや、前操作動作を検出した電極と次操作動作を検出する電極との直近の組み合わせをルールとして設定する。
【００３６】
また、表示パネル（表示領域）２００に表示されている表示内容に応じて、被検出体が接近する電極を予測する方法がある。例えば、主装置の表示パネル（表示領域）２００の表示内容を制御する機能部から、表示内容として動作項目や操作パラメータの並び方をまず取得する。そして、取得した並び方が縦方向である場合には、被検出体が接近する電極は、表示パネル（表示領域）２００の外周のＸ軸方向上部、下部の電極１１０Ｘ、１２０Ｘと予測する。一方、取得した並び方が横方向である場合には、被検出体が接近する電極は、表示パネル（表示領域）２００の外周のＹ軸方向上部、下部の電極１１０Ｙ、１２０Ｙと予測する。
【００３７】
近接検出部３４０は、各電極について、例えば、静電容量検出部３１０が検出した静電容量の変化量（増加量）と検出制御部３３０から受信した閾値とを比較して、近接状態を検出する。例えば、容量値を電圧値に変換し、電圧の形式で、両者を比較することにより、近接状態を検出する。
【００３８】
制御部３５０は、近接検出部３４０からの、各電極についての近接状態を検出したか否かの出力信号に基づいて、表示を変更する信号を表示制御部３６０に出力し、表示制御部３６０は入力した制御信号に基づいて表示パネル２００の表示を制御する。
【００３９】
本実施形態に係る主装置の制御パラメータ選択装置の表示パネル２００の表示例を示した図３を用いて、制御部３５０の具体的な制御処理について説明する。
【００４０】
図３では、最上部の行には、ＮＡＶＩ、ＡＩＲ  ＣＯＮ、ＡＵＤＩＯ、ＰＣ、ＰＨＯＮＥ等の動作項目が表示されている。以下の行には、操作パラメータ、例えば、ＶＯＬ１６、ＶＯＬ１７、ＶＯＬ１８、ＶＯＬ１９、ＶＯＬ２０等の音量表示、ＡＵＸ、ＵＳＢ等のＰＣの機能やＣＤ／ＤＶＤ、ＦＭ、ＡＭ等のＡＵＤＩＯの機能が表示されている。また、２５．５℃、２６．０℃、２６．５℃、２７．０℃、２７．５℃等の温度表示、ＴＥＬ、住所、履歴、登録地点、ランドマーク等のＮＡＶＩに関する機能が表示されている。
【００４１】
具体的には、表示パネル２００にエアコン、オーディオ機器、ナビゲーション機器等の動作項目および、これの操作パラメータがマトリクス状に表示されている場合に、例えば、近接検出部３４０が電極１１０Ｙへの近接状態を検出した後に、電極１２０Ｙへの近接状態を検出したときには、エアコン、オーディオ機器、ナビゲーション機器等の動作項目の選択モードであると制御部３５０が判断し、近接検出部３４０が電極１１０Ｙへの近接状態を検出した後に、電極１２０Ｙへの近接状態を検出するたびに、動作項目を一コマずつスクロール表示するように、表示制御部３６０に制御信号を出力し、表示パネル２００の表示を遷移させる。
【００４２】
図３において、例えば、近接検出部３４０が電極１２０Ｘへの近接状態を検出した後に、電極１１０Ｘへの近接状態を検出したときには、動作項目および操作パラメータの選択モードであると制御部３５０は判断し、近接検出部３４０が電極１２０Ｘへの近接状態を検出した後に、電極１１０Ｘへの近接状態を検出するたびに、最上部の行を一行ずつスクロール表示するように、表示制御部３６０に制御信号を出力し、表示パネル２００の表示を遷移させる。
【００４３】
また、近接検出部３４０が電極１１０Ｙへの近接状態を検出した後に、電極１２０Ｙへの近接状態を検出したときには、最上部の行に表示された動作項目、ＮＡＶＩ、ＡＩＲ  ＣＯＮ等の選択モードであると制御部３５０は判断し、近接検出部３４０が電極１１０Ｙへの近接状態を検出した後に、電極１２０Ｙへの近接状態を検出するたびに、動作項目を一コマずつスクロール表示するように、表示制御部３６０に制御信号を出力し、表示パネル２００の表示を遷移させる。
【００４４】
＜主装置の制御パラメータ選択装置における被検出体の近接状況の検出原理＞
図４から図７を用いて、本実施形態に係る主装置の制御パラメータ選択装置における被検出体の近接状況の検出原理について説明する。
【００４５】
上述したように、本実施形態で用いられる自己キャパシタンス方式では、浮遊容量を持つ電極を用いる。浮遊容量は、電極と周りの導電体の間にある寄生容量の影響を受ける。人体も導電体であることから、電極に指（人体）が近づくと浮遊容量の値が増加する（図４参照）。つまり、自己キャパシタンス方式では、電極に指（人体）が近づくことにより、増加する容量値を検出することにより、被検出体の近接状況を検出する。
【００４６】
図５および図６を用いて、被検出体の近接状況の検出方法の一例について説明する。
【００４７】
図５に検出回路の一例を示す。この図に示すように、検出回路は、コンデンサＣｃ、計測容量Ｃｘ、比較用コンデンサＣｒと、抵抗Ｒｃと、スイッチＳＷ１、ＳＷ２、ＳＷ３と、コンパレータとから構成されている。
【００４８】
計測容量Ｃｘは、一端が接地され、他端が電極を介して、比較用コンデンサＣｒの一端およびコンパレータの比較入力端子に接続されている。また、スイッチＳＷ１がコンパレータの比較入力端子とグランド間に設けられている。
【００４９】
コンデンサＣｃは、一端が接地され、他端が抵抗Ｒｃの一端に接続され、抵抗Ｒｃの他端は、比較用コンデンサＣｒおよびスイッチＳＷ１とＳＷ２の接続点に接続されている。また、スイッチＳＷ１の他端は、電源電圧Ｖｃｃに接続され、スイッチＳＷ２の他端は、接地されている。さらに、コンパレータの基準電圧端子には、Ｖｒｅｆが接続されている。ここで、コンデンサＣｃの両端電圧をＶｃ、計測容量Ｃｘの両端電圧をＶｘ、比較用コンデンサＣｒの両端電圧をＶｒとする。
【００５０】
この方法では、以下のように、電極の計測容量Ｃｘの静電容量を計測する。つまり、コンデンサＣｃに電荷が溜まり、徐々に抵抗Ｒｃを介して放電する。コンデンサＣｃの電荷は、比較用コンデンサＣｒおよび計測容量Ｃｘに移動する。そこで、比較用コンデンサＣｒとコンデンサＣｃとで分割された電圧を検出することにより、電極の計測容量Ｃｘの静電容量を計測する。
【００５１】
詳しい計測方法は、１）スイッチＳＷ１をＯＮにして、コンデンサＣｃに電荷を溜める。なお、このとき、スイッチＳＷ２、ＳＷ３は、ＯＦＦ状態である。２）スイッチＳＷ１、ＳＷ２、ＳＷ３をすべてＯＦＦに切替え、コンデンサＣｃの電荷を維持する。３）スイッチＳＷ２、ＳＷ３を一定時間ＯＮとする。そして、計測容量Ｃｘおよび比較用コンデンサＣｒの電荷がすべて放電されつつ、コンデンサＣｃの電荷の一部が抵抗Ｒｃを介して放電される。４）スイッチＳＷ１、ＳＷ２、ＳＷ３をすべてＯＦＦに切替える。このとき、コンデンサＣｃの電荷は、計測容量Ｃｘと比較用コンデンサＣｒに移動する。５）コンパレータで計測容量Ｃｘの電圧（Ｖｘ）とＶｒｅｆを比較する。
【００５２】
上記、４）、５）の等価回路を図６に示す。ここで、比較用コンデンサＣｒ、計測容量Ｃｘ、コンデンサＣｃの電圧、Ｖｒ、Ｖｘ、Ｖｃは、等しくしなければならないため、コンデンサＣｃの電荷は、計測容量Ｃｘ、比較用コンデンサＣｒに分散する。
【００５３】
電圧Ｖｒ、Ｖｘ、Ｖｃと比較用コンデンサＣｒ、計測容量Ｃｘ、コンデンサＣｃの容量との関係は、以下の数１から数３となる。
【００５４】
【数１】
2015106276.tif 000003
【００５５】
【数２】
2015106276.tif 000004
【００５６】
【数３】
2015106276.tif 000005
【００５７】
上記３）、４）、５）を、Ｖｘ＜Ｖｒｅｆの条件を満たすまで、実施する。ここで、数３に示すように、容量Ｃｘが大きくなると、Ｖｘ＜Ｖｒｅｆの条件を満たすまでの放電サイクル数が図６に示すように、少なくなる。そこで、この放電サイクル数をカウントすることにより、近接状態を検出することができる。
【００５８】
したがって、電極１１０Ｙにおいて、被検出体の近接状態を検出した後に、電極１２０Ｙにおいて、被検出体の近接状態を検出した場合には、被検出体が左右に動いたと判断し、電極１１０Ｘにおいて、被検出体の近接状態を検出した後に、電極１２０Ｘにおいて、被検出体の近接状態を検出した場合には、被検出体が上下に動いたと判断する。また、例えば、電極１１０Ｙ、電極１１０Ｘ、電極１２０Ｙ、電極１２０Ｘ、電極１１０Ｙの順番に被検出体の近接状態を検出した場合には、被検出体が右回りに円状に動いたと判断し、電極１１０Ｙ、電極１２０Ｘ、電極１２０Ｙ、電極１１０Ｘ、電極１１０Ｙの順番に被検出体の近接状態を検出した場合には、被検出体が右回りに円状に動いたと判断する。このほかにも、上半円状、下半円状を識別することもできる。
【００５９】
＜主装置の制御パラメータ選択装置における入力形態＞
図８から図９を用いて、本実施形態に係る主装置の制御パラメータ選択装置における入力形態について説明する。
【００６０】
図８に示すように、例えば、検出制御部３３０が、操作者の操作動作において被検出体が接近する電極として、電極１１０Ｘ、１２０Ｘを予測した場合には、電極１１０Ｘ、１２０Ｘが被検出体を検出する感度が電極１１０Ｙ、１２０Ｙに比べて高くなり、近接状態を検出しやすくなっている。それにより、操作者が上下垂直に手を動かすことができずに、少し右斜めや左斜めに上下に手を動かした場合であっても、電極１１０Ｙや電極１２０Ｙは被検出体の近接状態を検知せず、電極１１０Ｘ、１２０Ｘが被検出体の近接状態を検知できる。その結果、操作者が、少し右斜めや左斜めに上下に手を動かした場合も、上下垂直に手を動かしたときと同様の入力ができ、操作者の操作動作を正しく検出して、操作者の意思とは異なる入力がなされてしまうということを防ぐことができる。
【００６１】
検出制御部３３０が、操作者の操作動作において被検出体が接近する電極として、電極１１０Ｙ、１２０Ｙを予測した場合も同様に、電極１１０Ｙ、１２０Ｙが被検出体を検出する感度が電極１１０Ｘ、１２０Ｘに比べて高くなり、近接状態を検出しやすくなっている。その結果、操作者が右下がりや右上がりで手を左右に動かした場合であっても、電極１１０Ｘや電極１２０Ｘは被検出体の近接状態を検知せず、電極１１０Ｙ、１２０Ｙが被検出体の近接状態を検知し、上下水平に手を動かしたときと同様の入力ができ、操作者の操作動作を正しく検出して、操作者の意思とは異なる入力がなされてしまうということを防ぐことができる。
【００６２】
また、図９に示すように、例えば、手を右に円状に動かして元の位置に戻る動作をすると、選択した操作パラメータを確定する場合には、検出制御部３３０が、操作者の操作動作において被検出体が接近する電極として、電極１１０Ｘ、１２０Ｘ、１２０Ｙを予測し、電極１１０Ｘ、１２０Ｘ、１２０Ｙが被検出体を検出する感度が電極１１０Ｙに比べて高くなり、近接状態を検出しやすくなっている。そこで、操作者の手が右に円状に動かした後に元の位置に戻らず、左寄りの位置で止まった場合であっても、電極１１０Ｙは被検出体の近接状態を検知せず、電極１１０Ｘ、１２０Ｘ、１２０Ｙが被検出体の近接状態を検知できる。その結果、操作者が、最後に左寄りの位置で止まった場合も、元の位置で止まったときと同様の入力ができ、操作者の操作動作を正しく検出して、操作者の意思とは異なる入力がなされてしまうということを防ぐことができる。
【００６３】
＜主装置の制御パラメータ選択装置の処理＞
図１０を用いて、本実施形態に係る主装置の制御パラメータ選択装置の処理について説明する。
【００６４】
まず、検出制御部３３０は、操作者の操作動作により被検出体が接近する、または、接近しない電極の少なくとも一方を予測する（ステップＳ１１０）。次に、検出制御部３３０は、ステップＳ１１０で被検出体の接近が予測された電極、接近しないことが予測された電極それぞれについて、近接検出部３４０が被検出体の近接状態を検出する感度が、検出体の接近が予測された電極よりも接近が予測されない電極よりも高くなるように、閾値格納部３２０から通常閾値、高閾値、および低閾値のいずれかを取得する（ステップＳ１２０）。
【００６５】
次に、近接検出部３４０は、各電極について、静電容量検出部３１０が検出した静電容量の変化量（増加量）と検出制御部３３０から受信した閾値とを比較する（ステップＳ１３０）。次に、近接検出部３４０は、静電容量検出部３１０が検出した静電容量の変化量（増加量）が検出制御部３３０から受信した閾値よりも大きいか否か判断する（ステップＳ１４０）。静電容量の変化量（増加量）が閾値よりも大きいと判断した場合（ＹＥＳ）には、ステップＳ１５０に処理を進め、一方、静電容量の変化量（増加量）が閾値よりも小さいと判断した場合（ＮＯ）には、ステップＳ１６０に処理を進める。
【００６６】
次に、近接検出部３４０は、被検出体の接近を検出する（ステップＳ１５０）。次に、近接検出部３４０は、全電極について、静電容量検出部３１０が検出した静電容量の変化量（増加量）と検出制御部３３０から受信した閾値とを比較したか否かを判断する（ステップＳ１６０）。全電極について比較した場合には、ステップＳ１７０に処理を進め、一方、全電極について比較していない場合には、ステップＳ１４０に処理を戻す。
【００６７】
次に、制御部３５０は、近接検出部３４０からの、各電極についての近接状態を検出したか否かの出力信号に基づいて、表示を変更する信号を表示制御部３６０に出力し、表示制御部３６０は入力した制御信号に基づいて表示パネル２００の表示を制御する（ステップＳ１７０）。
【００６８】
以上、説明したように、本実施形態によれば、操作者の次操作動作によって接近する電極を予測し、予測に応じて、近接検出部が被検出体の近接状態を検出する感度を調整することができる。その結果、操作者の操作動作を正しく検出するようにすることができ、操作者の意思とは異なる入力がされてしまうことを防ぐことができる。
【００６９】
なお、主装置の制御パラメータ選択装置の処理をコンピュータシステムが読み取り可能な記録媒体に記録し、この記録媒体に記録されたプログラムを主装置の制御パラメータ選択装置に読み込ませ、実行することによって本発明の主装置の制御パラメータ選択装置を実現することができる。ここでいうコンピュータシステムとは、ＯＳや周辺装置等のハードウェアを含む。
【００７０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７１】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００７２】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７３】
１１０Ｘ；電極
１２０Ｘ；電極
１１０Ｙ；電極
１２０Ｙ；電極
２００；表示パネル（表示領域）
３１０；静電容量検出部
３２０；閾値格納部
３３０；検出制御部
３４０；近接検出部
３５０；制御部
３６０；表示制御部
【図１】
2015106276.tif 000006
【図２】
2015106276.tif 000007
【図３】
2015106276.tif 000008
【図５】
2015106276.tif 000009
【図６】
2015106276.tif 000010
【図１０】
2015106276.tif 000011
【図４】
2015106276.tif 000012
【図７】
2015106276.tif 000013
【図８】
2015106276.tif 000014
【図９】
2015106276.tif 000015